(57)【特許請求の範囲】
【請求項１】
マット本体と、
前記マット本体に設けられ、枕を固定可能なストラップと、を備え、
前記ストラップの基端部と前記ストラップの前記基端部以外の途中とが離合可能に構成されており、
前記基端部と前記途中とを結合させることで環を形成し、この環の中に前記枕を保持するように前記枕に前記ストラップを巻き付けることが可能なように構成されてなるマット。
【請求項２】
前記ストラップの長さを調整する長さ調整機構をさらに備えてなる請求項１に記載のマット。
【請求項３】
前記長さ調整機構は、前記基端部に取り付けられてなる第一部分と、前記ストラップの途中に移動可能に取り付けられ前記第一部分と離合可能な第二部分とを有するバックルによって構成されていることを特徴とする請求項２に記載のマット。
【請求項４】
前記ストラップは、前記枕を着脱可能であると共に、前記マット本体を結束可能である請求項１ないし請求項３のいずれか一項に記載のマット。
【請求項５】
前記マット本体に連結される連結用マット本体をさらに備え、
前記マット本体及び連結用マット本体は、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなり、
前記マット本体の第１の係合部と、これに隣接する前記連結用マット本体の第２の係合部とを係合させ、前記マット本体の第２の係合部と、前記隣接する前記連結用マット本体の第１の係合部とを係合させて両者を連結するものであって、
前記マット本体及び前記連結用マット本体の少なくとも一方が、複数の層が積層されてなり、少なくとも最表面に配設された層の一方の端部と他方の端部とが、当該本体の使用者を載置する面またはその裏面の略中央部で固定されてなる請求項１ないし請求項４のいずれか一項に記載のマット。
【請求項６】
前記マット本体に連結される連結用マット本体をさらに備え、
前記マット本体及び連結用マット本体は、少なくとも一つの縁部の両端部に第１の係合部を有し、且つ少なくとも前記縁部と対応する縁部の両端部に、前記第１の係合部と係合する第２の係合部を有してなり、
前記マット本体の第１の係合部と、これに隣接する前記連結用マット本体の第２の係合部とを係合させ、前記マット本体の第２の係合部と、前記隣接する前記連結用マット本体の第１の係合部とを係合させて両者を連結するものであって、
前記マット本体及び前記連結用マット本体の少なくとも一方が、複数の層が積層されてなり、少なくとも最表面に配設された層の一方の端部と他方の端部とが、当該本体の使用者を載置する面またはその裏面の略中央部で固定されてなる請求項１ないし請求項４のいずれか一項に記載のマット。
【請求項７】
前記ストラップは、前記枕を着脱可能であると共に、前記マット本体及び前記連結用マット本体を結束可能である請求項５または請求項６に記載のマット。
【請求項８】
前記マット本体を複数備え、
前記マット本体は、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなり、
前記マット本体の第１の係合部と、これに隣接するマット本体の第２の係合部とを係合させ、前記マット本体の第２の係合部と、前記隣接するマット本体の第１の係合部とを係合させて両者を連結するものであって、
前記マット本体は、複数の層が積層されてなり、少なくとも最表面に配設された層の一方の端部と他方の端部とが、当該マット本体の使用者を載置する面またはその裏面の略中央部で固定されてなる請求項１に記載のマット。
【請求項９】
前記マット本体を複数備え、
前記マット本体は、少なくとも一つの縁部の両端部に第１の係合部を有し、且つ少なくとも前記縁部と対応する縁部の両端部に、前記第１の係合部と係合する第２の係合部を有してなり、
前記マット本体の第１の係合部と、これに隣接する前記連結用マット本体の第２の係合部とを係合させ、前記マット本体の第２の係合部と、前記隣接する前記連結用マット本体の第１の係合部とを係合させて両者を連結するものであって、
前記マット本体は、複数の層が積層されてなり、少なくとも最表面に配設された層の一方の端部と他方の端部とが、当該マット本体の使用者を載置する面またはその裏面の略中央部で固定されてなる請求項１に記載のマット。
【請求項１０】
前記第１の係合部が穴であり、前記第２の係合部が、前記穴に挿入されるトグルである請求項６ないし請求項９のいずれか一項に記載のマット。
【請求項１１】
前記マット本体のうちの少なくとも一つが、他のマット本体とは異なったサイズを有する請求項８ないし請求項１０のいずれか一項に記載のマット。
【請求項１２】
前記マット本体は、複数の層が積層されてなるものであって、少なくとも最表面に配設された層の端部が、当該マット本体の使用者を載置する面またはその裏面で固定されてなる請求項１ないし請求項４のいずれか一項に記載のマット。
【請求項１３】
前記マット本体は、内側に空間を有し、当該空間に流体を保持することが可能である請求項１２に記載のマット。
【請求項１４】
前記連結用マット本体は、内側に空間を有し、当該空間に流体を保持することが可能である請求項５ないし請求項７のいずれか一項に記載のマット。
【請求項１５】
少なくとも第１の対角線上にある一対の角部の少なくとも一方の近傍に第１の係合部を有し、且つ少なくとも前記第１の対角線と交わる第２の対角線上にある一対の角部の少なくとも一方の近傍に、前記第１の係合部と係合する第２の係合部を有してなるマットに連結可能な枕であって、
少なくとも第１の対角線上にある一対の角部の少なくとも一方の近傍に、前記マットに形成された第２の係合部と係合する第１の係合部を有し、且つ少なくとも前記第１の対角線と交わる第２の対角線上にある一対の角部の少なくとも一方の近傍に、前記マットに形成された第１の係合部と係合する第２の係合部を有すると共に、
前記マットに対向する辺とは反対側の辺にストラップを設け、
前記ストラップの基端部と前記ストラップの前記基端部以外の途中とが離合可能に構成されており、前記基端部と前記途中とを結合させることで環を形成し、この環の中に前記枕及び前記マットを保持するように巻き付けることが可能なように構成されてなる枕。
【請求項１６】
少なくとも一つの縁部の両端部に第１の係合部を有するマットに連結可能な枕であって、
少なくとも一つの縁部の両端部に、前記マットに形成された第１の係合部と係合する第２の係合部を有すると共に、
前記マットに対向する辺とは反対側の辺にストラップを設け、
前記ストラップの基端部と前記ストラップの前記基端部以外の途中とが離合可能に構成されており、前記基端部と前記途中とを結合させることで環を形成し、この環の中に前記枕及び前記マットを保持するように巻き付けることが可能なように構成されてなる枕。
【請求項１７】
マットと、前記マットに連結される枕とを備え、
前記マット及び枕は、少なくとも第１の対角線上にある一対の角部の少なくとも一方の近傍に第１の係合部を有し、且つ少なくとも前記第１の対角線と交わる第２の対角線上にある一対の角部の少なくとも一方の近傍に、前記第１の係合部と係合する第２の係合部を有してなり、
前記マットの第１の係合部と、前記枕の第２の係合部とを係合させ、前記マットの第２の係合部と、前記枕の第１の係合部とを係合させて両者を連結するものであって、
前記枕の前記マットに対向する辺とは反対側の辺にストラップを設け、
前記ストラップの基端部と前記ストラップの前記基端部以外の途中とが離合可能に構成されており、前記基端部と前記途中とを結合させることで環を形成し、この環の中に前記枕及び前記マットを保持するように巻き付けることが可能なように構成されてなり、
前記マットを構成するマット本体は、複数の層が積層されてなり、少なくとも最表面に配設された層の一方の端部と他方の端部とが、当該マット本体の使用者を載置する面またはその裏面の略中央部で固定されてなる寝具。
【請求項１８】
マットと、前記マットに連結される枕とを備え、
前記マットは、少なくとも一つの縁部の両端部に第１の係合部を有し、
前記枕は、少なくとも一つの縁部の両端部に、前記第１の係合部と係合する第２の係合部を有してなり、
前記マットの第１の係合部と、前記枕の第２の係合部とを係合させて両者を連結するものであって、
前記枕の前記マットに対向する辺とは反対側の辺にストラップを設け、
前記ストラップの基端部と前記ストラップの前記基端部以外の途中とが離合可能に構成されており、前記基端部と前記途中とを結合させることで環を形成し、この環の中に前記枕及び前記マットを保持するように巻き付けることが可能なように構成されてなり、
前記マットを構成するマット本体は、複数の層が積層されてなり、少なくとも最表面に配設された層の一方の端部と他方の端部とが、当該マット本体の使用者を載置する面またはその裏面の略中央部で固定されてなる寝具。
【請求項１９】
前記マットを複数備え、
前記マットは、少なくとも２つの角部に第１の係合部を有し、且つ少なくとも前記２つの角部とは異なる２つの角部に、前記第１の係合部と係合する第２の係合部を有してなり、当該マットの第１の係合部と、これに隣接する前記マットの第２の係合部とを係合させ、前記マットの第２の係合部と、前記隣接する前記マットの第１の係合部とを係合させて両者を連結する請求項１７または請求項１８に記載の寝具。
【請求項２０】
マットと、前記マットに固定される寝袋とを備え、
前記マットは、少なくとも２つの角部に第１の係合部を有し、且つ少なくとも前記２つの角部とは異なる２つの角部に、前記第１の係合部と係合する第２の係合部を有してなり、
前記寝袋は、前記マット上に載置可能であり、当該マット上に載置した際に、前記マットの第１の係合部に係合可能な少なくとも２つの位置に、当該マットの第１の係合部と係合する第２の係合部を有し、前記マットの第２の係合部に係合可能な少なくとも２つの位置に、当該マットの第２の係合部と係合する第１の係合部を有してなり、
前記マットの第１の係合部と、前記寝袋の第２の係合部とを係合させ、前記マットの第２の係合部と、前記寝袋の第１の係合部とを係合させて両者を連結するものであって、
前記マットに、枕を固定可能なストラップを設け、
前記ストラップの基端部と前記ストラップの前記基端部以外の途中とが離合可能に構成されており、前記基端部と前記途中とを結合させることで環を形成し、この環の中に前記枕及び前記マットを保持するように巻き付けることが可能なように構成されてなり、
前記マットを構成するマット本体は、複数の層が積層されてなり、少なくとも最表面に配設された層の一方の端部と他方の端部とが、当該マット本体の使用者を載置する面またはその裏面の略中央部で固定されてなる寝具。
【請求項２１】
マットと、前記マットに固定される寝袋とを備え、
前記マットは、少なくとも四隅近傍に第１の係合部を有し、
前記寝袋は、前記マット上に載置可能であり、当該マット上に載置した際に、前記マットの第１の係合部に係合可能な位置に、当該マットの第１の係合部と係合する第２の係合部を有してなり、
前記マットの第１の係合部と、前記寝袋の第２の係合部とを係合させて両者を連結するものであって、
前記マットに、枕を固定可能なストラップを設け、
前記ストラップの基端部と前記ストラップの前記基端部以外の途中とが離合可能に構成されており、前記基端部と前記途中とを結合させることで環を形成し、この環の中に前記枕及び前記マットを保持するように巻き付けることが可能なように構成されてなり、
前記マットを構成するマット本体は、複数の層が積層されてなり、少なくとも最表面に配設された層の一方の端部と他方の端部とが、当該マット本体の使用者を載置する面またはその裏面の略中央部で固定されてなる寝具。
【請求項２２】
前記マットを複数備え、
前記マットの第１の係合部と、これに隣接するマットの第２の係合部とを係合させ、前記マットの第２の係合部と、前記隣接するマットの第１の係合部とを係合させて両者を連結してなる請求項２０記載の寝具。
【請求項２３】
前記マットに、少なくとも当該マットを結束可能なストラップを設けた請求項１７ないし請求項２２のいずれか一項に記載の寝具。
【請求項２４】
前記第１の係合部が穴であり、前記第２の係合部が、前記穴に挿入されるトグルである請求項２０ないし請求項２３のいずれか一項に記載の寝具。
【発明の詳細な説明】
【技術分野】
【０００１】
本発明は、寝心地が良く、丈夫で、携帯に便利であり、枕や寝袋、あるいは他のマットとの接続が可能なマット、及びこのマットに連結可能な枕及び寝袋、並びに、前記マットと枕を備え、両者を接続可能な寝具、並びに寝袋とマットを備え、両者を接続可能な寝具に関する。
【背景技術】
【０００２】
従来から、主としてキャンプ等のアウトドアレジャーで用いられる敷物やマットレス、エアマットレス等（以下、単に「マット」という）を敷布団として用いる場合、就寝中に枕が滑って動き、使用者の頭から逃げてしまうことがある。特に、スタッフバッグ等で作製した枕は、ナイロンタフタ等、滑り易い素材（生地）を使用していることから、滑りやすいことが知られている。この枕が滑る現象は、枕をマットの上に置いて使用した時は勿論のこと、枕をマットと並べて使用した際であっても同様に生じるものである。また、主として寝室等で用いられるマットであっても、就寝中に枕が動き、使用者の頭から逃げてしまうことがある。したがって、使用者の睡眠を妨げ、寝心地を悪化させている。
【０００３】
また、携帯に便利なマットとして、例えば、マット裏面の一方側縁にバンドが取り付けられており、丸めた状態で手軽に携帯することができるレジャー用マットがある。（例えば、特許文献１参照）。
【０００４】
さらにまた、目地を巾方向に沿わした状態で、藺草で織った長尺で細巾のゴザ部材を複数枚並列させて、隣接する縁部を柔軟な帯布で折り畳み自在に連結し、前記何れかのゴザ部材の所定箇所に、把手並びに包帯用紐を形成した携帯用敷物（マット）も紹介されている。（例えば、特許文献２参照）。
【０００５】
また、複数の層が重ねられてなるマットや、内部に空気が収容されるエアマット等は、マットの端部（外周部や縁）に接合代（接着代）を設け、この部分を接合した構成を備えている。（例えば、特許文献３、特許文献４参照）。
【０００６】
そしてまた、扁平袋状体に空気を圧入してクッション性を確保すると共に、一端部に独立した空気室として枕部を設け、この枕部以外の本体部を、櫛の噛合形状に分割して独立した少なくとも２個の本体空気室で形成したエアマットも紹介されている。このエアマットは、少なくとも両側縁に縁部を設けると共に、縁部に隣接エアマットとの連結接続可能としたホックを設け、当該ホックを嵌合させることで、複数のエアマットを連結することができる。（例えば、特許文献５参照）。
【特許文献１】特開平７−２１３３３７号公報
【特許文献２】特開平８−２１５０２４号公報
【特許文献３】特開２００５−６９５６号公報
【特許文献４】実開平７−１２１５８号公報
【特許文献５】特開平１０−２０１５７６号公報
【発明の開示】
【発明が解決しようとする課題】
【０００７】
しかしながら、前述した特許文献１〜４に記載されたマットは、枕が滑って所望の位置から移動することを防止する工夫がなされていない。また、特許文献１〜４に記載されたマットには、携帯し易い工夫がなされているものはあるが、マットを分割して小さくし、必要に応じて連結（接続）して、所望の大きさにして使用するという発想はない。
【０００８】
また、前述した特許文献１〜５に記載されたマットは、マットの端部に接合代を設け、この部分を接合した構成を備えているため、材料費がかさむと共に重量が重くなる要因となっていた。また、マットの端部を接合するための型代が不可欠であり、コストを要していた。さらにまた、接合部が端部にあるため、剥離しやすいという懸念もある。
【０００９】
また、前述した特許文献５に記載されたエアマットは、枕を本体部から取外すことができない。また、エアマットの縁に沿って複数設けられたホックを嵌合させることで、もう一つのエアマットと連結する構成を備えているため、使用者が横臥する部分に前記ホックが存在することになり、異物感を感じ、寝心地が悪くなる。
【００１０】
本発明は、このような従来の事情に鑑みなされたものであり、枕や他のマットとの接続が可能であり、寝心地が良く、丈夫で、携帯に便利であるマットを提供することを目的とする。
【００１１】
また、本発明は、本発明にかかるマットと接続可能であり、寝心地が良く、丈夫で、携帯に便利である枕を提供することを目的とする。
【００１２】
さらにまた、本発明は、本発明にかかるマットと接続可能であり、寝心地が良く、丈夫で、携帯に便利である寝袋を提供することを目的とする。
【００１３】
そしてまた、本発明は、本発明にかかるマット及び枕、あるいは本発明にかかるマット及び寝袋を備え、寝心地が良く、丈夫で、携帯に便利である寝具を提供することを目的とする。
【課題を解決するための手段】
【００１４】
この目的を達成するため、本発明は、マット本体と、前記マット本体に設けられ、枕を固定可能なストラップと、を備えてなるマットを提供するものである。
【００１５】
この構成を備えたマットは、ストラップによって枕がマット本体に固定されるため、マット本体や枕が、通常の素材から製造されている時は勿論のこと、滑り易い素材から製造されていたとしても、就寝中に枕が滑って動き、使用者の頭から逃げてしまうことを防止することができる。したがって、使用者の睡眠を妨げることなく、良好な寝心地を得ることができる。
【００１６】
なお、本発明でいう「マット」とは、特に言及しない限り、例えば、マットレス、シート、布団、敷物等、使用者が着座したり、横臥したりすることが可能なもの全般を含むものとする。
【００１７】
また、本発明にかかるマットは、前記マット本体に連結される連結用マット本体をさらに備え、前記マット本体及び連結用マット本体は、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなり、前記マット本体の第１の係合部と、これに隣接する前記連結用マット本体の第２の係合部とを係合させ、前記マット本体の第２の係合部と、前記隣接する前記連結用マット本体の第１の係合部とを係合させて、両者を連結することが可能な構成を備えることができる。
【００１８】
このように、第１の係合部及び第２の係合部が、マット本体及び連結用マット本体の角部近傍に配設されているため、前記マット本体の第１の係合部と、これに隣接する連結用マット本体の第２の係合部とを係合させ、前記マット本体の第２の係合部と、前記隣接する連結用マット本体の第１の係合部とを係合させて、両者を連結した際に、第１の係合部及び第２の係合部が、使用者の邪魔になることがなく、使用者が異物感を感じることがない。したがって、前記利点に加え、さらに良好な使い心地を得ることができる。
【００１９】
そしてまた、本発明にかかるマットは、前記マット本体に連結される連結用マット本体をさらに備え、前記マット本体及び連結用マット本体は、少なくとも一つの縁部の両端部に第１の係合部を有し、且つ少なくとも前記縁部と対応する縁部の両端部に、前記第１の係合部と係合する第２の係合部を有してなり、前記マット本体の第１の係合部と、これに隣接する前記連結用マット本体の第２の係合部とを係合させ、前記マット本体の第２の係合部と、前記隣接する前記連結用マット本体の第１の係合部とを係合させて、両者を連結することが可能な構成を備えることができる。
【００２０】
このように、第１の係合部及び第２の係合部が、マット本体及び連結用マット本体の縁部の両端部に配設されているため、前記マット本体の第１の係合部と、これに隣接する連結用マット本体の第２の係合部とを係合させ、前記マット本体の第２の係合部と、前記隣接する連結用マット本体の第１の係合部とを係合させて、両者を連結した際に、第１の係合部及び第２の係合部が、使用者の邪魔になることがなく、使用者が異物感を感じることがない。したがって、前記利点に加え、さらに良好な使い心地を得ることができる。
【００２１】
また、前記マット本体は、複数の層が積層されてなり、少なくとも最表面に配設された層の端部を、当該マット本体の使用者を載置する面またはその裏面で固定した構成を備えることができる。この構成により、前記複数層を、マット本体の縁部で接合する必要がないため、前記利点に加え、マット本体を構成する材料の使用量を削減でき、軽量化することができる。さらに、縁部を接合するための型代を必要としないため、製造コストを削減することができる。そしてまた、縁部を接合した場合に比べ、固定部（接合部）が剥離する可能性を少なくすることができる。
【００２２】
また、前記連結用マット本体は、複数の層が積層されてなり、少なくとも最表面に配設された層の端部を、当該連結用マット本体の使用者を載置する面またはその裏面で固定した構成を備えることもできる。
【００２３】
そしてまた、本発明にかかるマットは、前記ストラップの長さを調整する長さ調整機構をさらに備えることができる。このように構成することで、前記利点に加え、枕の大きさに合わせてストラップの長さを調整することができるため、汎用性が向上する。
【００２４】
このストラップは、前記枕を着脱可能であると共に、マット本体を結束可能に構成することもできる。このようにすることで、マットを使用しない際には、マット本体を丸めたり、折り畳む等して、ストラップで結束しておくことができる。したがって、コンパクトにまとめることができ、収納に便利であると共に、携帯にも便利である。なお、このストラップは、マット本体と共に、連結用マット本体を結束することもできる。また、枕も同時に結束してもよい。
【００２５】
また、本発明は、複数のマット本体を備え、前記マット本体は、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなり、前記マット本体の第１の係合部と、これに隣接するマット本体の第２の係合部とを係合させ、前記マット本体の第２の係合部と、前記隣接するマット本体の第１の係合部とを係合させて両者を連結するマットを提供するものである。
【００２６】
この構成を備えたマットは、第１の係合部及び第２の係合部が、マット本体の角部近傍に配設されているため、前記マット本体の第１の係合部と、これに隣接するマット本体の第２の係合部とを係合させ、前記マット本体の第２の係合部と、前記隣接するマット本体の第１の係合部とを係合させて、両者を連結した際に、第１の係合部及び第２の係合部が、使用者の邪魔になることがない。したがって、使用者が異物感を感じることがなく、良好な使い心地を得ることができる。
【００２７】
そしてまた、本発明は、複数のマット本体を備え、前記マット本体は、少なくとも一つの縁部の両端部に第１の係合部を有し、且つ少なくとも前記縁部と対応する縁部の両端部に、前記第１の係合部と係合する第２の係合部を有してなり、前記マット本体の第１の係合部と、これに隣接する前記連結用マット本体の第２の係合部とを係合させ、前記マット本体の第２の係合部と、前記隣接する前記連結用マット本体の第１の係合部とを係合させて両者を連結するマットを提供するものである。
【００２８】
この構成を備えたマットは、第１の係合部及び第２の係合部が、マット本体の縁部の両端部に配設されているため、前記マット本体の第１の係合部と、これに隣接するマット本体の第２の係合部とを係合させ、前記マット本体の第２の係合部と、前記隣接するマット本体の第１の係合部とを係合させて、両者を連結した際に、第１の係合部及び第２の係合部が、使用者の邪魔になることがない。したがって、使用者が異物感を感じることがなく、良好な使い心地を得ることができる。
【００２９】
また、この場合も、前記マット本体は、複数の層が積層されてなり、少なくとも最表面に配設された層の端部が、当該マット本体の使用者を載置する面またはその裏面で固定されていてもよい。
【００３０】
そしてまた、本発明の一実施態様としては、前記第１の係合部が穴であり、前記第２の係合部が、前記穴に挿入されるトグルであってもよい。また、第１の係合部及び第２の係合部は、互いに係合しあうファスナや面ファスナであってもよく、ホック、ボタンとボタン穴、チャック等、種々の構成のものを使用してもよい。
【００３１】
また、前記複数のマット本体を備えたマットでは、この複数のマット本体のうち、少なくとも一つが、他のマット本体とは異なったサイズを有することもできる。このように構成することで、例えば、一つのマット本体を他のマット本体よりも平面的に小さくして、このサイズの異なるマット本体を枕として代用することもできる。この場合、例えば、前記サイズの異なるマット本体の高さ（全体の厚さ）を、他のマット本体の高さよりも厚くして、枕としての機能を高めてもよい。
【００３２】
また、本発明は、複数の層が積層されてなるマット本体を備え、前記マット本体は、少なくとも最表面に配設された層の端部が、当該マット本体の使用者を載置する面またはその裏面で固定されてなるマットを提供するものである。
【００３３】
この構成を備えたマットは、前記複数層を、マット本体の縁部で接合する必要がないため、マット本体を構成する材料の使用量を削減でき、軽量化することができる。さらに、縁部を接合するための型代を必要としないため、製造コストを削減することができる。そしてまた、縁部を接合した場合に比べ、固定部（接合部）が剥離する可能性を少なくすることができる。
【００３４】
なお、前記マット本体は、内側に空間を有し、当該空間に流体を保持することが可能な構造を有していてもよい。また、前記連結用マット本体も、同様に、内側に空間を有し、当該空間に流体を保持することが可能な構造を有していてもよい。
【００３５】
また、本発明は、少なくとも第１の対角線上にある一対の角部の少なくとも一方の近傍に第１の係合部を有し、且つ少なくとも前記第１の対角線と交わる第２の対角線上にある一対の角部の少なくとも一方の近傍に、前記第１の係合部と係合する第２の係合部を有してなるマットに連結可能な枕であって、少なくとも第１の対角線上にある一対の角部の少なくとも一方の近傍に、前記マットに形成された第２の係合部と係合する第１の係合部を有し、且つ少なくとも前記第１の対角線と交わる第２の対角線上にある一対の角部の少なくとも一方の近傍に、前記マットに形成された第１の係合部と係合する第２の係合部を有してなる枕を提供するものである。
【００３６】
この構成を備えた枕は、第１の係合部と、前記マットに形成された第２の係合部とを連結し、第２の係合部と、前記マットに形成された第１の係合部とを連結することで、当該マットに接続されるため、枕やマットが、通常の素材から製造されている時は勿論のこと、滑り易い素材から製造されていたとしても、就寝中に枕が滑って動き、使用者の頭から逃げてしまうことを防止することができる。したがって、使用者の睡眠を妨げることなく、良好な寝心地を得ることができる。
【００３７】
そしてまた、本発明は、少なくとも一つの縁部の両端部に第１の係合部を有するマットに連結可能な枕であって、少なくとも一つの縁部の両端部に、前記マットに形成された第１の係合部と係合する第２の係合部を有してなる枕を提供するものである。
【００３８】
この構成を備えた枕は、第２の係合部を、前記マットに形成された第１の係合部に連結することで、当該マットに接続されるため、枕やマットが、通常の素材から製造されている時は勿論のこと、滑り易い素材から製造されていたとしても、就寝中に枕が滑って動き、使用者の頭から逃げてしまうことを防止することができる。したがって、使用者の睡眠を妨げることなく、良好な寝心地を得ることができる。
【００３９】
また、本発明は、複数のマット本体を備え、前記マット本体は、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなり、前記マット本体の第１の係合部と、これに隣接するマット本体の第２の係合部とを係合させ、前記マット本体の第２の係合部と、前記隣接するマット本体の第１の係合部とを係合させて両者を連結するマットに連結可能な枕であって、少なくとも第１の対角線上にある一対の角部の少なくとも一方の近傍に、前記マットに形成された第２の係合部と係合する第１の係合部を有し、且つ少なくとも前記第１の対角線と交わる第２の対角線上にある一対の角部の少なくとも一方の近傍に、前記マットに形成された第１の係合部と係合する第２の係合部を有してなる枕を提供するものである。
【００４０】
この構成を備えた枕は、第１の係合部と、前記マットに形成された第２の係合部とを連結し、第２の係合部と、前記マットに形成された第１の係合部とを連結することで、当該マットに接続されるため、枕やマットが、通常の素材から製造されている時は勿論のこと、滑り易い素材から製造されていたとしても、就寝中に枕が滑って動き、使用者の頭から逃げてしまうことを防止することができる。したがって、使用者の睡眠を妨げることなく、良好な寝心地を得ることができる。
【００４１】
そしてまた、本発明は、複数のマット本体を備え、前記マット本体は、少なくとも一つの縁部の両端部に第１の係合部を有し、且つ少なくとも前記縁部と対応する縁部の両端部に、前記第１の係合部と係合する第２の係合部を有してなり、前記マット本体の第１の係合部と、これに隣接する前記連結用マット本体の第２の係合部とを係合させ、前記マット本体の第２の係合部と、前記隣接する前記連結用マット本体の第１の係合部とを係合させて両者を連結するマットに連結可能な枕であって、少なくとも一つの縁部の両端部に、前記マットに形成された第１の係合部と係合する第２の係合部を有してなる枕を提供するものである。
【００４２】
この構成を備えた枕は、第２の係合部を、前記マットに形成された第１の係合部に連結することで、当該マットに接続されるため、枕やマットが、通常の素材から製造されている時は勿論のこと、滑り易い素材から製造されていたとしても、就寝中に枕が滑って動き、使用者の頭から逃げてしまうことを防止することができる。したがって、使用者の睡眠を妨げることなく、良好な寝心地を得ることができる。
【００４３】
また、本発明は、少なくとも２つの角部に第１の係合部を有し、且つ少なくとも前記２つの角部とは異なる２つの角部に、前記第１の係合部と係合する第２の係合部を有してなるマットに連結可能な寝袋であって、前記マット上に載置可能であり、当該マット上に載置した際に、前記マットの第１の係合部に係合可能な少なくとも２つの位置に、当該マットの第１の係合部と係合する第２の係合部を有し、前記マットの第２の係合部に係合可能な少なくとも２つの位置に、当該マットの第２の係合部と係合する第１の係合部を有してなる寝袋を提供するものである。
【００４４】
この一実施態様としては、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなるマットに連結可能な寝袋であって、前記マット上に載置可能であり、使用者が着用した際に使用者の頭部が位置する側の端部に、前記マットに形成された第１の係合部と係合する第２の係合部と、前記マットに形成された第２の係合部と係合する第１の係合部とを、互いに間隔をおいて有し、且つ使用者の足部が位置する側の端部に、前記マットに形成された第１の係合部と係合する第２の係合部と、前記マットに形成された第２の係合部と係合する第１の係合部とを、互いに間隔をおいて有してなる構成であってもよい。
【００４５】
また、この一実施態様としては、少なくとも一つの縁部の両端部に第１の係合部を有し、且つ少なくとも前記縁部と対応する縁部の両端部に、前記第１の係合部と係合する第２の係合部を有してなるマットに連結可能な寝袋であって、前記マット上に載置可能であり、使用者が着用した際に使用者の頭部が位置する側の端部に、前記マットに形成された第１の係合部と係合する第２の係合部を互いに間隔をおいて有し、且つ使用者の足部が位置する側の端部に、前記マットに形成された第２の係合部と係合する第１の係合部を互いに間隔をおいて有してなる構成であってもよい。
【００４６】
そしてまた、本発明は、少なくとも四隅近傍に第１の係合部を有してなるマットに連結可能な寝袋であって、前記マット上に載置可能であり、使用者が着用した際に使用者の頭部が位置する側の端部及び前記使用者の足部が位置する側の端部に、前記マットに形成された第１の係合部と係合する第２の係合部を、互いに間隔をおいて有してなる寝袋を提供するものである。
【００４７】
これらの構成を備えた寝袋は、前記第１の係合部と、前記第２の係合部とを連結することで、当該マットに接続されるため、寝袋やマットが、通常の素材から製造されている時は勿論のこと、滑り易い素材から製造されていたとしても、就寝中に寝袋が滑って動き、マットからずれることを防止することができる。したがって、使用者の睡眠を妨げることなく、良好な寝心地を得ることができる。また、第１の係合部と第２の係合部とを用いた連結により、マットに接続されるため、従来のようなマット全体を覆うタイプの滑り止めとは異なり、構造が簡単である。
【００４８】
なお、前述した寝袋は、前述した複数のマット本体が連結されてなるマット上に載置され、このマットに連結することもできる。具体的には、前記寝袋の一実施態様として、例えば、複数のマット本体を備え、前記マット本体は、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなり、前記マット本体の第１の係合部と、これに隣接するマット本体の第２の係合部とを係合させ、前記マット本体の第２の係合部と、前記隣接するマット本体の第１の係合部とを係合させて両者を連結するマットに連結可能な寝袋であって、前記マット上に載置可能であり、使用者が着用した際に使用者の頭部が位置する側の端部に、前記マットに形成された第１の係合部と係合する第２の係合部と、前記マットに形成された第２の係合部と係合する第１の係合部とを、互いに間隔をおいて有し、且つ使用者の足部が位置する側の端部に、前記マットに形成された第１の係合部と係合する第２の係合部と、前記マットに形成された第２の係合部と係合する第１の係合部とを、互いに間隔をおいて有してなる構成であってもよい。
【００４９】
また、前記寝袋の一実施態様として、例えば、複数のマット本体を備え、前記マット本体は、少なくとも一つの縁部の両端部に第１の係合部を有し、且つ少なくとも前記縁部と対応する縁部の両端部に、前記第１の係合部と係合する第２の係合部を有してなり、前記マット本体の第１の係合部と、これに隣接する前記連結用マット本体の第２の係合部とを係合させ、前記マット本体の第２の係合部と、前記隣接する前記連結用マット本体の第１の係合部とを係合させて両者を連結するマットに連結可能な寝袋であって、前記マット上に載置可能であり、使用者が着用した際に使用者の頭部が位置する側の端部に、前記マットに形成された第１の係合部と係合する第２の係合部を互いに間隔をおいて有し、且つ使用者の足部が位置する側の端部に、前記マットに形成された第２の係合部と係合する第１の係合部を互いに間隔をおいて有してなる構成であってもよい。
【００５０】
また、本発明は、マットと、前記マットに連結される枕とを備え、前記マット及び枕は、少なくとも第１の対角線上にある一対の角部の少なくとも一方の近傍に第１の係合部を有し、且つ少なくとも前記第１の対角線と交わる第２の対角線上にある一対の角部の少なくとも一方の近傍に、前記第１の係合部と係合する第２の係合部を有してなり、前記マットの第１の係合部と、前記枕の第２の係合部とを係合させ、前記マットの第２の係合部と、前記枕の第１の係合部とを係合させて両者を連結する寝具を提供するものである。
【００５１】
この場合、前記マットは、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなることができる。
【００５２】
そしてまた、本発明は、マットと、前記マットに連結される枕とを備え、前記マットは、少なくとも一つの縁部の両端部に第１の係合部を有し、前記枕は、少なくとも一つの縁部の両端部に、前記第１の係合部と係合する第２の係合部を有してなり、前記マットの第１の係合部と、前記枕の第２の係合部とを係合させて両者を連結する寝具を提供するものである。
【００５３】
この場合、前記マットは、少なくとも前記縁部と対応する縁部の両端部に、前記第１の係合部と係合する第２の係合部を有してなることができる。
【００５４】
さらに前述した寝具は、前記マットを複数備え、前記マットの第１の係合部と、これに隣接する前記マットの第２の係合部とを係合させ、前記マットの第２の係合部と、前記隣接する前記マットの第１の係合部とを係合させて両者を連結することができる。
【００５５】
これらの構成を備えた寝具は、枕に形成された第１の係合部と、マットに形成された第２の係合部とを連結し、枕に形成された第２の係合部と、マットに形成された第１の係合部とを連結することで、当該マットに枕が接続されるため、マットや枕が、通常の素材から製造されている時は勿論のこと、滑り易い素材から製造されていたとしても、就寝中に枕が滑って動き、使用者の頭から逃げてしまうことを防止することができる。したがって、使用者の睡眠を妨げることなく、良好な寝心地を得ることができる。
【００５６】
また、本発明は、マットと、前記マットに固定される寝袋とを備え、前記マットは、少なくとも２つの角部に第１の係合部を有し、且つ少なくとも前記２つの角部とは異なる２つの角部に、前記第１の係合部と係合する第２の係合部を有してなり、前記寝袋は、前記マット上に載置可能であり、当該マット上に載置した際に、前記マットの第１の係合部に係合可能な少なくとも２つの位置に、当該マットの第１の係合部と係合する第２の係合部を有し、前記マットの第２の係合部に係合可能な少なくとも２つの位置に、当該マットの第２の係合部と係合する第１の係合部を有してなり、前記マットの第１の係合部と、前記寝袋の第２の係合部とを係合させ、前記マットの第２の係合部と、前記枕の第１の係合部とを係合させて両者を連結する寝具を提供するものである。
【００５７】
この寝具の一実施態様としては、例えば、マットと、前記マットに固定される寝袋とを備え、前記マットは、少なくとも第１の対角線上にある一対の角部近傍に第１の係合部を有し、且つ少なくとも前記第１の対角線と交わる第２の対角線上にある一対の角部近傍に、前記第１の係合部と係合する第２の係合部を有してなり、前記寝袋は、前記マット上に載置可能であり、使用者が着用した際に使用者の頭部が位置する側の端部に、前記マットに形成された第１の係合部と係合する第２の係合部と、前記マットに形成された第２の係合部と係合する第１の係合部とを、互いに間隔をおいて有し、且つ使用者の足部が位置する側の端部に、前記マットに形成された第１の係合部と係合する第２の係合部と、前記マットに形成された第２の係合部と係合する第１の係合部とを、互いに間隔をおいて有してなり、前記マットの第１の係合部と、前記寝袋の第２の係合部とを係合させ、前記マットの第２の係合部と、前記枕の第１の係合部とを係合させて両者を連結する構成であってもよい。
【００５８】
また、この寝具の一実施態様としては、例えば、マットと、前記マットに固定される寝袋とを備え、前記マットは、少なくとも一つの縁部の両端部に第１の係合部を有し、且つ少なくとも前記縁部と対応する縁部の両端部に、前記第１の係合部と係合する第２の係合部を有してなり、前記寝袋は、前記マット上に載置可能であり、使用者が着用した際に使用者の頭部が位置する側の端部に、前記マットに形成された第１の係合部と係合する第２の係合部を互いに間隔をおいて有し、且つ使用者の足部が位置する側の端部に、前記マットに形成された第２の係合部と係合する第１の係合部を互いに間隔をおいて有してなり、前記マットの第１の係合部と、前記寝袋の第２の係合部とを係合させ、前記マットの第２の係合部と、前記枕の第１の係合部とを係合させて両者を連結する構成であってもよい。
【００５９】
前述したマットと寝袋を備えた寝具は、前記第１の係合部と第２の係合部とを連結することで、当該マットに寝袋が接続されるため、マットや寝袋が、通常の素材から製造されている時は勿論のこと、滑り易い素材から製造されていたとしても、就寝中に寝袋が滑って動き、マットからずれることを防止することができる。したがって、使用者の睡眠を妨げることなく、良好な寝心地を得ることができる。また、第１の係合部と第２の係合部とを用いた連結により、マットに接続されるため、従来のようなマット全体を覆うタイプの滑り止めとは異なり、構造が簡単である。
【００６０】
さらにまた、前述したマットと寝袋を備えた寝具は、前記マットを複数備え、前記マットの第１の係合部と、これに隣接するマットの第２の係合部とを係合させ、前記マットの第２の係合部と、前記隣接するマットの第１の係合部とを係合させて両者を連結してなる構成を備えることもできる。
【００６１】
そしてまた、本発明は、マットと、前記マットに固定される寝袋とを備え、前記マットは、少なくとも四隅近傍に第１の係合部を有し、前記寝袋は、前記マット上に載置可能であり、使用者が着用した際に使用者の頭部が位置する側の端部及び前記使用者の足部が位置する側の端部に、前記マットに形成された第１の係合部と係合する第２の係合部を、互いに間隔をおいて有してなり、前記マットの第１の係合部と、前記寝袋の第２の係合部とを係合させて両者を連結する寝具を提供するものである。
【００６２】
前述したマットと寝袋を備えた寝具は、寝袋に形成された第２の係合部と、マットに形成された第１の係合部とを連結することで、当該マットに寝袋が接続されるため、マットや寝袋が、通常の素材から製造されている時は勿論のこと、滑り易い素材から製造されていたとしても、就寝中に寝袋が滑って動き、マットからずれることを防止することができる。したがって、使用者の睡眠を妨げることなく、良好な寝心地を得ることができる。また、第１の係合部と第２の係合部とを用いた連結により、マットに接続されるため、従来のようなマット全体を覆うタイプの滑り止めとは異なり、構造が簡単である。
【００６３】
また、本発明にかかる寝具は、前記マットに、少なくとも当該マットを結束可能なストラップを設けることもできる。このようにマットにストラップを設けることで、マットを使用しない際には、マットを丸めたり、折り畳む等して、ストラップで結束しておくことができる。したがって、コンパクトにまとめることができ、収納に便利であると共に、携帯にも便利である。なお、このストラップは、マットと共に、枕を結束したり寝袋を結束することもできる。
【００６４】
そしてまた、前述した寝具のマットは、複数の層が積層されてなり、少なくとも最表面に配設された層の端部が、当該マットの使用者を載置する面またはその裏面で固定された構成を備えていてもよい。
【００６５】
また、前述した寝具では、前記第１の係合部を穴から構成し、前記第２の係合部を前記穴に挿入されるトグルから構成することもできる。また、第１の係合部及び第２の係合部は、互いに係合しあうファスナや面ファスナであってもよく、ホック、ボタンとボタン穴、チャック等、種々の構成のものを使用してもよい。
【発明の効果】
【００６６】
本発明にかかるマットは、枕をマット本体に固定するストラップを有しているため、マット本体や枕が、通常の素材から製造されている時は勿論のこと、滑り易い素材から製造されていたとしても、就寝中に枕が滑って動き、使用者の頭から逃げてしまうことを防止することができる。この結果、使用者の睡眠を妨げることなく、良好な寝心地が得られるという効果を有する。
【００６７】
また、本発明にかかるマットは、第１の係合部及び第２の係合部が、マット本体の角部近傍に配設されているため、第１の係合部と第２の係合部とを係合させて、マット本体通しを連結した際に、第１の係合部及び第２の係合部が、使用者の邪魔になることがない。この結果、使用者が異物感を感じることがなく、良好な使い心地が得られるという効果を有する。
【００６８】
そしてまた、本発明にかかるマットは、第１の係合部及び第２の係合部が、マット本体の縁部の両端部に配設されているため、第１の係合部と第２の係合部とを係合させて、マット本体通しを連結した際に、第１の係合部及び第２の係合部が、使用者の邪魔になることがない。この結果、使用者が異物感を感じることがなく、良好な使い心地が得られるという効果を有する。
【００６９】
さらにまた、本発明にかかるマットは、複数の層が積層されたマット本体の、少なくとも最表面に配設された層の端部が、当該マット本体の使用者を載置する面またはその裏面で固定されているため、前記複数層を、マット本体の縁部で接合する必要がない。この結果、マット本体を構成する材料の使用量を削減でき、軽量化することができるという効果を有する。さらに、縁部を接合するための型代を必要としないため、製造コストを削減することができる。そしてまた、縁部を接合した場合に比べ、固定部（接合部）が剥離する可能性を少なくすることができる。
【００７０】
また、本発明にかかる枕は、第１の係合部及び第２の係合部が、角部近傍に配設されているため、これらをマットの第２の係合部及び第１の係合部に各々係合させることで、当該マットに接続することができる。この結果、就寝中に枕が滑って動き、使用者の頭から逃げてしまうことを防止することができる。したがって、使用者の睡眠を妨げることなく、良好な使い心地が得られるという効果を有する。
【００７１】
そしてまた、本発明にかかる枕は、少なくとも一つの縁部の両端部に第２の係合部が配設されているため、これらをマットの第１の係合部に各々係合させることで、当該マットに接続することができる。この結果、就寝中に枕が滑って動き、使用者の頭から逃げてしまうことを防止することができる。したがって、使用者の睡眠を妨げることなく、良好な使い心地が得られるという効果を有する。
【００７２】
さらにまた、本発明にかかる寝袋は、前記マットの第１の係合部に係合可能な少なくとも２つの位置に、当該マットの第１の係合部と係合する第２の係合部を有し、前記マットの第２の係合部に係合可能な少なくとも２つの位置に、当該マットの第２の係合部と係合する第１の係合部を有しているため、これらをマットの第２の係合部及び第１の係合部に各々係合させることで、当該マットに接続することができる。この結果、就寝中に寝袋が滑って動くことを防止することができる。したがって、使用者の睡眠を妨げることなく、良好な使い心地が得られるという効果を有する。
【００７３】
また、本発明にかかる寝袋は、前記マットの第１の係合部に係合可能な位置に、当該マットの第１の係合部と係合する第２の係合部を有してなるため、これらをマットの第１の係合部に係合させることで、当該マットに接続することができる。この結果、就寝中に寝袋が滑って動くことを防止することができる。したがって、使用者の睡眠を妨げることなく、良好な使い心地が得られるという効果を有する。
【００７４】
そしてまた、本発明にかかる寝具は、マットと枕を有し、当該マットに枕を接続することが可能である結果、就寝中に枕が滑って動き、使用者の頭から逃げてしまうことを防止することができる。したがって、使用者の睡眠を妨げることなく、良好な使い心地が得られるという効果を有する。
【００７５】
さらにまた、本発明にかかる寝具は、マットと寝袋を有し、当該マットに寝袋を接続することが可能である結果、就寝中に寝袋が滑って動くことを防止することができる。したがって、使用者の睡眠を妨げることなく、良好な使い心地が得られるという効果を有する。
【発明を実施するための最良の形態】
【００７６】
次に、本発明の好適な実施の形態にかかるマットについて図面を参照して説明する。なお、以下に記載される実施の形態は、本発明を説明するための例示であり、本発明をこの実施の形態にのみ限定するものではない。したがって、本発明は、その要旨を逸脱しない限り、様々な形態で実施することができる。
【００７７】
（実施の形態１）
図１は、本発明の実施の形態１にかかるマットの平面図、図２は、図１に示すマットの構成要素であるマット本体の底面図、図３は、図２に示すIII−III線に沿った一部を拡大して示す断面斜視図、図４は、図１に示すマットのストラップが取付けられた付近を拡大して示す平面図、図５は、図１に示すマットのストラップで枕を固定した状態を示す平面図、図６は、図１に示すマットのストラップで枕を固定した状態を拡大して示す斜視図、図７は、図１に示すマット本体の第１の係合部付近を拡大して示す平面図、図８は、図１に示すマット本体の第２の係合部付近を拡大して示す斜視図、図９は、図１に示すマット本体の第１の係合部と、連結用マット本体の第２の係合部とを係合させた状態を拡大して示す斜視図、図１０は、図１に示すマットの構成要素であるマット本体をストラップによって束ねた状態を示す斜視図である。
【００７８】
図１〜図１０に示すように、実施の形態１にかかるマット１は、マット本体１０と、このマット本体１０に連結される５枚の連結用マット本体１１Ａ〜１１Ｅを備えて構成されている。
【００７９】
マット本体１０は、平面視で、角部にアール（丸み）が付いた略長方形を有し、その角部近傍には、第１の係合部としての穴１２、１３、１４及び１５が、各々貫通形成されている。また、４つの角部のうち、一つの対角線上にある一対の角部に形成された穴１２及び穴１４には、第２の係合部としてのトグル２０が紐２１によって結ばれて固定されている。このトグル２０は、後に詳述する連結用マット本体１１Ａ〜１１Ｅに形成された穴１２〜１５のいずれかに挿入されて、連結用マット本体１１Ａ〜１１Ｅとマット本体１０とを連結する役割を果たすものである。
【００８０】
また、マット本体１０の長手方向に位置する一縁部の略中央部には、枕１００（図５、図６参照）や、マット本体１０自身、及び連結用マット本体１１Ａ〜１１Ｅ等を固定することができるストラップ３０が取付けられている。このストラップ３０には、ストラップ３０の長さを調整する長さ調整機構としてのバックル４０が取り付けられている。
【００８１】
バックル４０の雌３１は、ストラップ３０の基端部（マット本体１０に対する取付け位置）に取り付けられている。一方、バックル４０の雄３２は、ストラップ３０の途中に移動可能に取り付けられており、バックル４０の雄３２を雌３１に嵌合させることで形成されるストラップ３０の環の径（サイズ）を変更することができるようになっている。これにより、枕１００や、マット本体１０自身、及び連結用マット本体１１Ａ〜１１Ｅを、ストラップ３０により固定する際に、これらのサイズに対応することができるようになっている。
【００８２】
さらに、マット本体１０は、内側に空気（エア）が挿入されて保持されるエアマットであり、マット本体１０の長手方向に位置する一縁部（実施の形態１では、ストラップ３０が取付けられている一縁部）には、マット本体１０内に空気を導入するための空気導入口４５が形成されている。
【００８３】
そしてまた、マット本体１０は、図３に示すように、空気が導入されるエアマット部１６と、エアマット部１６の表面に積層されてエアマット部１６の表面を覆うカバー部１７とを有しており、このカバー部１７の一方の端部１７Ａと端部１７Ａと対向する他方の端部１７Ｂは、図２及び図３に示すように、マット本体１０の裏面の略中央部で固定されている。
【００８４】
このように、カバー部１７の一方の端部１７Ａと他方の端部１７Ｂとが、マット本体１０の裏面の略中央部で固定されていることで、カバー部１７の両端部１７Ａ及び１７Ｂをマット本体１０の縁部で接合する必要がないため、マット本体１０を構成する材料の使用量を削減でき、軽量化することができる。さらに、縁部を接合するための型代を必要としないため、製造コストを削減することができる。そしてまた、縁部を接合した場合に比べ、固定部（接合部）が剥離する可能性を少なくすることができる。なお、マット本体１０は、カバー部１７の両端部１７Ａ及び１７Ｂが接合されている側の面を表側の面として使用しても差し支えない。
【００８５】
連結用マット本体１１Ａ〜１１Ｅは、ストラップ３０及びバックル４０が取付けられていない以外は、マット本体１０と同様の構成を備えている。
【００８６】
実施の形態１にかかるマット１を組み立てるには、先ず、マット本体１０に連結用マット本体１１Ｂを隣接させ、図９に示すように、マット本体１０に形成された穴１２に紐２１によって固定されたトグル２０を、連結用マット本体１１Ｂの穴１３内に挿入し、トグル２０によって連結用マット本体１１Ｂをマット本体１０に連結させる。
【００８７】
同様に、マット本体１０の、連結用マット本体１１Ｂが連結された側とは反対側に連結用マット本体１１Ａを隣接させ、マット本体１０に形成された穴１３に、連結用マット本体１１Ａの穴１２に紐２１によって固定されたトグル２０を挿入し、トグル２０によって連結用マット本体１１Ａをマット本体１０に連結させる。以下、同様に、連結用マット本体１１Ｃ〜１１Ｅを連結し、図１に示す構成のマット１を得る。この時、マット本体１０及び連結用マット本体１１Ａ〜１１Ｅには、前記連結前に空気導入口４５から所望量の空気を導入しておいてもよく、連結後に導入してもよい。
【００８８】
このように、マット本体１０及び連結用マット本体１１Ａ〜１１Ｅは、各々の角部に形成された穴１２〜１５と、トグル２０との係合によって連結されるため、穴１２〜１５及びトグル２０が、使用者の邪魔になることがなく、使用者が異物感を感じることがない。したがって、良好な使い心地を得ることができる。
【００８９】
次に、このマット１に枕１００を固定するには、枕１００の略中央部にストラップ３０を巻き付け、バックル４０の雄３２の位置を移動させて、枕１００に対するストラップ３０の巻き付け長さを調整した後、バックル４０の雄３２を雌３１に嵌合させる。このようにすることで、図５及び図６に示すように、枕１００がマット１に固定される。
【００９０】
このように、枕１００がマット１に固定されることで、マット１や枕１００が、通常の素材から製造されている時は勿論のこと、滑り易い素材から製造されていたとしても、使用者が就寝中に枕１００が滑って動き、使用者の頭から逃げてしまうことを防止することができる。したがって、使用者の睡眠を妨げることなく、良好な寝心地を得ることができる。また、このように、枕１００をマット１の外に置いて使用できるため、マット１は、使用者の肩までの長さがあれば済むため、さらに小型軽量化することができる。
【００９１】
また、枕１００は、バックル４０の雄３２と雌３１との嵌合を解除することで、マット１から簡単に取外すことができる。また、マット１を携帯する際、あるいは片付ける際には、マット本体１０及び連結用マット本体１１Ａ〜１１Ｅから空気を抜いた後、マット本体１０及び連結用マット本体１１Ａ〜１１Ｅを一緒にして丸め、図１０に示すように、ストラップ３０で結束（固定）することもできる。また、所望により、マット本体１０のみをストラップ３０で結束してもよく、枕１００も一緒に結束してもよい。
【００９２】
なお、実施の形態１では、１枚のマット本体１０に５枚の連結用マット本体１１Ａ〜１１Ｅを連結した場合について説明したが、これに限らず、マット本体１０及び連結用マット本体１１Ａ〜１１Ｅは、各々のサイズ及びマットの必要な大きさに応じた枚数で連結すればよい。
【００９３】
また、マット本体１０を使用せず、連結用マット本体同士のみを連結して使用してもよい。そしてまた、図１１に示すように、複数のマット本体１０を前述した実施の形態と同様に連結してもよい。そしてまた、複数のマット本体１０を連結せずに、図１２に示すように、マット本体１０を単独で使用してもよい。この場合は、第１の係合部（例えば、穴１２〜１５）や第２の係合部（例えば、トグル２０）は配設しなくてもよい。
【００９４】
そしてまた、実施の形態１では、マット本体１０及び連結用マット本体１１Ａ〜１１Ｅとして、内部に空気を導入可能なエアマットを例にとって説明したが、これに限らず、マット本体１０及び連結用マット本体１１Ａ〜１１Ｅは、例えば、複数の層が積層されたもの、単独の層からなるもの等であってもよく、特に限定されるものではない。
【００９５】
さらにまた、実施の形態１では、マット本体１０及び連結用マット本体１１Ａ〜１１Ｅの４つの角部に穴１２〜１５（第１の係合部）を形成し、マット本体１０及び連結用マット本体１１Ａ〜１１Ｅの一つの対角線上にトグル２０（第２の係合部）を配設した場合について説明したが、これに限らず、第１の係合部は、マット本体１０及び連結用マット本体１１Ａ〜１１Ｅの少なくとも一つの縁部（一辺）の両端に形成し、第２の係合部は、この縁部と対向する縁部の両端に形成してもよい。
【００９６】
また、実施の形態１のように、トグル２０（第２の係合部）をマット本体１０及び連結用マット本体１１Ａ〜１１Ｅの一つの対角線上にある一対の角部近傍に形成した場合、穴１２〜１５（第１の係合部）は、前記対角線と交わる別の対角線上にある一対の角部近傍のみに形成してもよい。また、トグル２０（第２の係合部）をマット本体１０及び連結用マット本体１１Ａ〜１１Ｅの４つの角部近傍に配設してもよい。
【００９７】
そしてまた、実施の形態１では、第１の係合部として、穴１２〜１５を配設し、第２の係合部としてトグル２０を配設した場合について説明したが、これに限らず、第１の係合部及び第２の係合部は、互いに係合するものであれば、その形態は特に限定されるものではなく、例えば、マジックテープ（登録商標）、ホック、ボタンとボタン穴、チャック等、紐等、様々な形態の係合部材を使用することができる。
【００９８】
さらにまた、実施の形態１では、マット本体１０及び連結用マット本体１１Ａ〜１１Ｅとして平面視で略四角形を有する形状のものを使用した場合について説明したが、これに限らず、マット本体１０及び連結用マット本体１１Ａ〜１１Ｅの形状は、他の多角形であってもよく、特に限定されるものではない。
【００９９】
また、実施の形態１では、マット本体１０と、このマット本体１０と同一サイズの複数の連結用マット本体１１〜１１Ｅとを連結した場合について説明したが、これに限らず、マット本体１０及び連結用マット本体１１〜１１Ｅは、異なったサイズのものを使用してもよい。例えば、図１３に示すように、マット本体１０を連結用マット本体１１〜１１Ｅのサイズと異なるサイズに形成し、このサイズの異なるマット本体１０を、枕１００が載置されるべき位置に配設して、連結用マット本体と連結し、このサイズの異なるマット本体１０を、枕として代用してもよい。あるいは、連結用マット本体１１〜１１Ｅのうち、少なくとも一つを異なるサイズとして、前記と同様に枕として代用してもよい。また、複数のマット本体１０を連結したマットにおいても同様である。
【０１００】
（実施の形態２）
次に、本発明の実施の形態２にかかる枕、マット、及びこの枕とマットを備えた寝具について、図面を参照して説明する。
【０１０１】
図１４は、実施の形態２にかかる枕及びマット、並びに寝具を示す平面図である。なお、実施の形態２では、実施の形態１と同様の部材には、同一の符号を付し、その詳細な説明は省略する。
【０１０２】
図１４に示すように、実施の形態２にかかる枕１１０は、平面略四角形を有し、平面視で、角部にアール（丸み）が付いた略長方形を有し、その角部近傍には、実施の形態１と同様の穴１２、１３、１４及び１５が、各々貫通形成されている。また、４つの角部のうち、一つの対角線上にある一対の角部に形成された穴１２及び穴１４には、実施の形態１と同様に、トグル２０が紐２１によって結ばれて固定されている。また、この枕１１０は、内側に空気（エア）が挿入されて保持されるエア枕であり、その一縁部には、枕１１０内に空気を導入するための空気導入口４５が形成されている。
【０１０３】
また、枕１１０は、前述したマット本体１０や、連結用マット本体１１Ａ〜１１Ｅと同様に、空気が導入されるエアマット部と、エアマット部の表面に積層されてエアマット部の表面を覆うカバー部とを有しており、このカバー部の一方の端部と、この端部と対向する他方の端部が、枕１１０の裏面の略中央部で固定されている。
【０１０４】
この枕１１０が接続されるマット１５０は、実施の形態１で説明したマット本体１０と同様の構成を備え、１枚で成人が横臥することができるサイズを有している。すなわち、マット１５０の四隅近傍に穴１２〜１５がそれぞれ形成され、第１の対角線上に設けられた穴１２及び１４に、トグル２０が紐２１によって結ばれて固定されている。マット１５０には、実施の形態１で説明したバックル４０が取付けられたストラップ３０が取付けられている。このストラップ３０は、実施の形態２では、枕を固定するものではなく、マット１５０を携帯する際、あるいは片付ける際に、マット１５０を丸めて、図１０に示すように、結束（固定）するためのものである。なお、所望により、マット１５０のみをストラップ３０で結束してもよく、枕１１０も一緒に結束してもよい。
【０１０５】
そして、この枕１１０とマット１５０とにより寝具２００を構成している。この寝具２００を組み立てるには、図１４に示すように、マット１５０の長手方向縁部に枕１１０を隣接させ、マット１５０に形成された穴１２に紐２１によって固定されたトグル２０を、枕１１０に形成された穴１３内に挿入し、枕１１０の穴１４に紐２１によって固定されたトグル２０を、マット１５０に形成された穴１５内に挿入すればよい。この時、マット１５０及び枕１１０には、この連結前（組立前）に空気導入口４５から所望量の空気を導入しておいてもよく、連結後に導入してもよい。
【０１０６】
このように、マット１５０及び枕１１０は、各々の角部に形成された穴１２及び１４と、トグル２０との係合によって連結されるため、穴１２及び１４と、トグル２０が、使用者の邪魔になることがなく、使用者が異物感を感じることがない。したがって、良好な使い心地を得ることができる。
【０１０７】
このように、枕１１０がマット１５０に連結（固定）されることで、マット１５０や枕１１０が、通常の素材から製造されている時は勿論のこと、滑り易い素材から製造されていたとしても、使用者が就寝中に枕１１０が滑って動き、使用者の頭から逃げてしまうことを防止することができる。したがって、使用者の睡眠を妨げることなく、良好な寝心地を得ることができる。また、このように、枕１１０をマット１５０の外に置いて使用できるため、マット１５０は、使用者の足先から肩までの長さがあれば済むため、さらに小型軽量化することができる。
【０１０８】
また、枕１１０は、穴１２及び１４と、トグル２０との係合を解除することで、マット１５０から簡単に取外すことができる。また、マット１５０を携帯する際、あるいは片付ける際には、マット１５０及び枕１１０から空気を抜いた後、マット１５０を、あるいはマット１５０と枕１１０を一緒にして丸め、図１０に示す例と同様に、ストラップ３０で結束（固定）することもできる。
【０１０９】
なお、実施の形態２では、枕１１０とマット１５０の四隅に、穴１２〜１５を形成し、第１の対角線上にある一対の角部近傍に形成された穴１２及び１４に、紐２１によってトグル２０を各々取付けた場合について説明したが、これに限らず、トグル２０は、図１５に示すように、一縁部の両側に形成された穴１２及び１５に、紐２１によって各々取付けてもよい。
【０１１０】
また、枕１１０は、マット１５０と連結される側のみに穴１３及び１４が形成されていればよく、穴１３及び１４の少なくとも一方に、紐２１によってトグル２０が取付けられていればよい。マット１５０も同様に、枕１１０と連結される側のみに穴１２及び１５が形成されていればよく、穴１２及び１５の少なくとも一方に、紐２１によってトグル２０が取付けられていればよい。
【０１１１】
そしてまた、実施の形態２では、１枚で成人が横臥することができるサイズのマット１５０を使用した場合について説明したが、これに限らず、図１６に示すように、複数の連結用マット本体１１Ａ．．．を互いに連結することによって、マット１５０を構成し、これに枕１１０を連結してもよい。この場合、図１６に示すように、バックル４０が取付けられたストラップ３０を枕１１０に取付けてもよい。また、同様に複数のマット本体１０を互いに連結することによって、マット１５０を構成し、このマット１５０に枕１１０を連結してもよい。
（実施の形態３）
次に、本発明の実施の形態３にかかる寝袋、マット、及びこの寝袋とマットを備えた寝具について、図面を参照して説明する。
【０１１２】
図１７は、本発明の実施の形態３にかかる寝袋及びマット、並びに寝具示す平面図、図１８は、図１７に示す寝袋の頭部近傍を示す拡大図、図１９は、図１７に示す寝袋の足部近傍を示す拡大図である。なお、実施の形態１では、実施の形態１と同様の部材には、同一の符号を付し、その詳細な説明は省略する。
【０１１３】
図１７〜図１９に示すように、実施の形態３にかかる寝袋１２０は、使用者が着用した際に、当該使用者の顔部分が露出するための開口部１２１が形成されている。この寝袋１２０の使用者が着用した際に使用者の頭部が位置する側の端部の互いに間隔をおいた２箇所には、図１８に示すように、トグル２０が、紐２１によって固定されている。また、この寝袋１２０の使用者の足部が位置する側の端部の互いに間隔をおいた２箇所には、図１９に示すように、トグル２０が、紐２１によって固定されている。このトグル２０は、後に詳述するマット１６０の四隅に各々形成された穴１２〜１５に係合可能な位置に取付けられている。
【０１１４】
この寝袋１２０が載置されるマット１６０は、平面視で略長方形を有し、使用者が寝袋１２０を着用した状態で横臥可能なサイズを備えている。このマット１６０の四隅には、寝袋１２０に取付けられたトグル２０が係合する穴１２〜１５が各々形成されている。また、マット１６０には、実施の形態１で説明したバックル４０が取付けられたストラップ３０が取付けられている。このストラップ３０は、実施の形態３では、マット１６０を携帯する際、あるいは片付ける際に、マット１６０を丸めて、図１０に示すように、結束（固定）するためのものである。なお、所望により、マット１６０のみをストラップ３０で結束してもよく、寝袋１２０も一緒に結束してもよい。なお、このマット１６０は、穴１２及び１４に、紐２１によってトグル２０が取付けられていない以外は、実施の形態１で説明したマット本体１０と同様の構成を備えている。
【０１１５】
そして、この寝袋１２０とマット１６０とにより寝具２１０を構成している。この寝具２１０を組み立てるには、図１７に示すように、マット１６０の上に寝袋１２０を載置し、マット１６０に形成された穴１２〜１５に、紐２１によって固定されたトグル２０をそれぞれ挿入すればよい。この時、マット１６０には、この連結前（組立前）に空気導入口４５から所望量の空気を導入しておいてもよく、連結後に導入してもよい。
【０１１６】
このように、寝袋１２０がマット１６０に連結（固定）されることで、マット１６０や寝袋１２０が、通常の素材から製造されている時は勿論のこと、滑り易い素材から製造されていたり、使用者の寝相が悪くても、就寝中に寝袋１２０が滑って動き、マット１６０から外部に移動することを防止することができる。したがって、使用者の睡眠を妨げることなく、良好な寝心地を得ることができる。
【０１１７】
なお、実施の形態３では、マット１６０の四隅に穴１２〜１５を形成し、寝袋１２０には、マット１６０に形成された穴１２〜１５に係合可能な位置に、紐２１によってトグル２０を各々取り付けた場合について説明したが、これに限らず、図２０に示すように、使用者が着用した際に使用者の頭部が位置する側の端部の互いに間隔をおいた一方に、穴１３を形成し、他方にトグル２０を紐２１によって固定し、図２１に示すように、使用者の足部が位置する側の端部の互いに間隔をおいた一方にトグル２０を紐２１によって固定し、他方に穴１５を形成してもよい。この場合、マット１６０の四隅のうち、寝袋１２０に取付けられたトグル２０が係合可能な位置に、穴１３及び１５を形成し、寝袋１２０に形成された穴１３及び１５に係合可能な位置にトグル２０を配設すればよい。また、トグル２０は、実施の形態１及び２のように、寝袋１２０に穴１２及び１４を形成し、この穴１２及び１４に、紐２１によって固定してもよい。マット１６０についても同様である。
【０１１８】
また、実施の形態３では、１枚で成人が横臥することができるサイズのマット１６０を使用した場合について説明したが、これに限らず、図２２に示すように、複数の連結用マット本体１１Ａ．．．を互いに連結することによって、マット１６０を構成し、これに寝袋１２０を連結してもよい。この場合、図２１に示すように、マット１６０に形成される穴１２〜１５及びトグル２０の位置は、寝袋１６０に取付けられたトグル２０や、寝袋１６０に形成された穴の位置に応じて決定すればよい。この場合、バックル４０が取付けられたストラップ３０は、図２２では特に図示しないが、連結用マット本体１１Ａ．．．のいずれに取り付けてもよく、また必ずしも取付けなくてもよい。
【図面の簡単な説明】
【０１１９】
【図１】本発明の実施の形態１にかかるマットの平面図である。
【図２】図１に示すマットの構成要素であるマット本体の底面図である。
【図３】図２に示すIII−III線に沿った一部を拡大して示す断面斜視図である。
【図４】図１に示すマットのストラップが取付けられた付近を拡大して示す平面図である。
【図５】図１に示すマットのストラップで枕を固定した状態を示す平面図である。
【図６】図１に示すマットのストラップで枕を固定した状態を拡大して示す斜視図である。
【図７】図１に示すマット本体の第１の係合部付近を拡大して示す平面図である。
【図８】図１に示すマット本体の第２の係合部付近を拡大して示す斜視図である。
【図９】図１に示すマット本体の第１の係合部と、連結用マット本体の第２の係合部とを係合させた状態を拡大して示す斜視図である。
【図１０】図１に示すマットの構成要素であるマット本体をストラップによって束ねた状態を示す斜視図である。
【図１１】本発明の他の実施の形態１にかかるマットの平面図である。
【図１２】本発明の他の実施の形態にかかるマットのストラップで枕を固定した状態を示す平面図である。
【図１３】本発明の他の実施の形態にかかるマットに枕を固定した状態を示す平面図である。
【図１４】本発明の実施の形態２にかかる枕及びマット、並びに寝具を示す平面図である。
【図１５】本発明の他の実施の形態にかかる枕及びマット、並びに寝具を示す平面図である。
【図１６】本発明の他の実施の形態にかかる枕及びマット、並びに寝具を示す平面図である。
【図１７】本発明の実施の形態３にかかる寝袋及びマット、並びに寝具示す平面図である。
【図１８】図１７に示す寝袋の頭部近傍を示す拡大図である。
【図１９】図１７に示す寝袋の足部近傍を示す拡大図である。
【図２０】本発明の他の実施の形態にかかる寝袋の頭部付近を示す拡大図である。
【図２１】本発明の他の実施の形態にかかる寝袋の足部近傍を示す拡大図である。
【図２２】本発明の他の実施の形態にかかる寝袋及びマット、並びに寝具を示す平面図である。
【符号の説明】
【０１２０】
１、１５０、１６０    マット
１０    マット本体
１１Ａ〜１１Ｅ    連結用マット本体
１２〜１５    穴（第１の係合部）
１６    エアマット部
１７    カバー部
２０    トグル（第２の係合部）
２１    紐、
３０    ストラップ
４０    バックル
１００、１１０    枕
１２０    寝袋
【図１】
0004689551.tif 000002
【図２】
0004689551.tif 000003
【図３】
0004689551.tif 000004
【図４】
0004689551.tif 000005
【図５】
0004689551.tif 000006
【図６】
0004689551.tif 000007
【図７】
0004689551.tif 000008
【図８】
0004689551.tif 000009
【図９】
0004689551.tif 000010
【図１０】
0004689551.tif 000011
【図１１】
0004689551.tif 000012
【図１２】
0004689551.tif 000013
【図１３】
0004689551.tif 000014
【図１４】
0004689551.tif 000015
【図１５】
0004689551.tif 000016
【図１６】
0004689551.tif 000017
【図１７】
0004689551.tif 000018
【図１８】
0004689551.tif 000019
【図１９】
0004689551.tif 000020
【図２０】
0004689551.tif 000021
【図２１】
0004689551.tif 000022
【図２２】
0004689551.tif 000023